(57)【要約】【課題】融雪工事と舗石工事を一挙に行うことができよう、舗石ブロックに融雪機能を具備させる。【解決手段】  基布２の上に相互に隙間７を設けて複数の舗石３を固定する。基布２はポリエステル繊維でグリッド状に編んだもので、発熱体として機能するように、基布に予め発熱用導電性塗料を塗っておく。導電性塗料を塗った後の基布２に電極５を取り付け、電極を含め基布全体に絶縁塗料を塗って、電気が外部に漏れないようにする。舗石と舗石の間には、後から目地材を塗り込むための隙間７を設ける。【選択図】図１
2005336719.tif 000002
【特許請求の範囲】
【請求項１】
基布の上に複数の舗石を目地材を塗り込むための間隔をあけて接着した舗石集合ブロックにおいて、該基布が導電性を有しており、該基布の対向する２辺の各々に電極を沿わせたことを特徴とする、融雪機能を備えた舗石集合ブロック。
【請求項２】
該基布が、その表面に発熱用導電塗料、さらにその上に絶縁塗料を塗布されたものである請求項１に記載の融雪機能を備えた舗石集合ブロック。
【発明の詳細な説明】
【技術分野】
【０００１】
本発明は、歩道や広場などの舗装に用いる舗石集合ブロックであって、融雪機能を備えたものに関する。
【背景技術】
【０００２】
従来の舗石工事は、基礎コンクリートの上にモルタルを敷き、舗石を一つ一つ敷き並べていたが、工事に熟練した技能が要求され、能率もよくない。そこで、先に出願人は、複数の舗石をネットの上に接着した舗石集合ブロックを提案した（実用新案登録第３０４７３７１号）。このブロックは、基礎コンクリートの上に設置して、舗石と舗石の間の隙間に目地モルタルを塗りこむだけで、簡単に、しかも効率よく舗石工事を行うことができる。
【０００３】
ところで、北国の冬では、車道だけでなく、歩道や広場も冠雪したり凍結したりして、人の通行が阻害されるが、これを防止するために、従来は舗石の下に加熱装置、例えばケーブルヒータ（電熱線）や温水パイプを埋め込んで、雪や氷を融かすようにようにしていた。しかし、融雪工事をしてから舗石工事を行うので、工期が長くなり、工費も高いものとなる。
【発明の開示】
【発明が解決しようとする課題】
【０００４】
この発明は、融雪工事と舗石工事を一挙に行うことができよう、舗石ブロックに融雪機能を持たせることを課題とする
【課題を解決するための手段】
【０００５】
この発明にかかる舗石集合ブロックは、導電性を有する基布の上に複数の舗石を、目地モルタルを塗り込むための間隔をあけて接着し、基布には電極を設ける。一つ一つの舗石集合ブロックはあまり大きくすると、重くなり過ぎて輸送が施工が困難になるので、一辺が500〜2000mm程度が現実的である。
【０００６】
基布は、舗石を定位置に保持するだけの引張強度があって、伸びの少ないものが好ましく、例えば、ガラス繊維のような無機質繊維、アラミド繊維をはじめとするポリアミド、ポリエステルなどのような有機質繊維の布が使える。基布は織布に限らず不織布でもよい。
【０００７】
この発明では、基布に導電性を持たせるが、そのためには基布に電気抵抗線を織り込んでもよい。しかし、電気抵抗線は断線しやすく、腐蝕の問題があるので、好ましくは、基布材に発熱用導電性塗料を塗るようにする。導電性塗料は耐水性がよいものが望ましく、また、銅やニッケル粉のような金属粒子を含むものは腐蝕するから使えない。腐蝕しない導電性粒子として、カーボンブラックとグラファイトがあるので、これらの粒子をバインダー（油性でも水性でもよい。）に分散させたものを使用するとよい。
【０００８】
導電性塗料を塗った後、基布の対向する２辺の各々に電極を沿わせる。電極は銅箔線や平織銅線を用い、これを導電性接着剤で接着する。両電極間に電圧を印加した場合、両電極に挟まれた面積内に一様に電流が流れ発熱する。印加する電圧は、感電事故を防止するためにも低電圧（例えば10〜20ボルト）が好ましい。このような低電圧で所望の発熱量（例えば、20〜100w/m2）が得られるよう、導電性塗料中の導電粒子の組成、含有量、塗膜の厚み等を調節する。
【０００９】
電極を取り付けた後、基布および電極に絶縁塗料を塗布する。絶縁塗料は遮水性が高いものが望ましく、例えば、軟質ポリ塩化ビニル、ポリエチレン、ポリプロピレンなどの柔軟性材料が使用できる。電極の端部に、隣のユニットの電極と接続できるよう、コネクターを設けると現場での施工工事が容易である。
【００１０】
最後に、基布の上に舗石を接着する。舗石は、花崗岩等の天然石をはじめ、コンクリート板、れんが、タイル、木板など多様なものを使うことができる。一つ一つの舗石の大きさは例えば、一辺100〜300ｍｍ、厚み20〜50mmほどである。なお、基布にグリッド（網）状のものを使用し、その下側に、フェルト状の不織布をあてがって、基布、舗石およびこの不織布の３つの部材を同時に接着するようにすると、フェルト状不織布がモルタルセメントとよく接着するので、ブロックが基礎コンクリートからはがれにくい。
【００１１】
この舗石集合ブロックは、基礎コンクリートの上に接着用にモルタルを敷き、その上に設置する。敷石を一つずつ敷き並べる必要がないので、工事は簡単容易である。舗石と舗石の間の隙間には従来どおりモルタル等の目地材を塗り込むことで、各舗石は強固に固定される。なお、各ブロックの電極は、コネクターを用いて隣のものと接続する。接続部は、ポリオレフィン系等の熱収縮チューブを被せるなどして周囲から電気的に絶縁する。互に接続された発熱体は、商用交流電源に接続される。
【００１２】
この融雪機能を備えた舗石集合ブロックは、舗石を支持する基布に導電性を持たせ、これに通電することでジュール熱を発生させ、その熱で路面の融雪を可能にしたものであり、これを用いることにより、融雪工事と舗石工事が同時にでき、施工が極めて短時間、かつ、容易になるという利点がある。また、舗石が発熱体と直に接しているので、熱が効率よく舗石に伝わり、融雪を効果的に行うことができる。この集合ブロックは、歩道のほか、人が集う広場、住宅のポーチなどに利用することができる。
【発明を実施するための最良の形態】
【００１３】
舗石集合ブロック１は図１に示すように、基布２の上に相互に隙間を設けて複数の舗石３を固定したものである。ここでは集合ブロックの大きさを1000mm×2000mmとした。
【００１４】
基布２はポリエステル繊維でグリッド状に編んだもので、厚み3mm、網目２ａの大きさ20mm×20mmほどである。舗石３を接着する前に、基布２が発熱体として機能するように、これに発熱用導電性塗料を塗る。ここでは、バインダー（アクリル樹脂系エマルジョン）にカーボンブラックとグラファイトの粒子を分散させたものを用いた。塗料の塗布は、実際には浸漬法（どぶ漬け）で行った。塗膜の厚みは発熱量に拘わってくるので、ここでは1m2当たり100ワットの出力を得ることを目標として必要な膜厚を得るようにした。
【００１５】
導電性塗料を塗った後の基布２に電極５を取り付ける。電極は平織りの銅線であり、これを基布２の対向する二辺の各々に沿って貼り付けた。貼り付けには導電性接着剤を用いた。電極を取り付けたら、電極を含め基布全体に絶縁塗料を塗って、電気が外部に漏れないようにする。電極５の端部には差込み式のコネクター６を圧着する。
【００１６】
次いで、基布２の上に舗石３を接着する。舗石には花崗岩の石板（大きさは200mm×200mm×30mm）を用いた。舗石と舗石の間には、後から目地材を塗り込むための隙間７（例えば10mm幅）を設ける。舗石の接着にはエポキシ系などの接着剤を用いる。グリッド状の基布２に舗石３を接着するときに、基布の下に、基布と同じ大きさのフェルト状の不織布９（ポリエチレン系）をあてがい、これもいっしょに接着してしまう。不織布は基材だけでなく、基布の目２ａを通して舗石３の底面とも接着する。フェルト状不織布はそれ自身、強度は大きくはないが、毛羽立っているので敷きモルタル１２（後述する図２参照）とよく馴染み、これに強固に固着される。したがって、舗石集合ブロック１は不織布９を介して敷きモルタル１２に強固に固定され、長い年月の間にも剥がれることがない。
【００１７】
このようにして造られた舗石集合ブロックを、工場からパレット等に載せて施工現場に運び込む。図２に示すように、施工は、まず砕石１０を敷いてその上に基礎コンクリート１１を構築する。その上に接着用のモルタル１２を敷き、その上に舗石集合ブロック１を押し当てるようにして載置する。舗石と舗石の隙間７に目地モルタル１３を詰める。
【００１８】
こうして、舗石集合ブロック１を歩道面に敷き並べていく。ブロックとブロックの継ぎ目においても、舗石と舗石の間隔は他と同じ（10mm幅）になるようにし、ここにも目地モルタルを塗り込む。また、ブロックとブロックの継ぎ目で、各ブロックの電極端部のオス雌コネクター６を接続し、その上に熱収縮チューブを被せて電気的に絶縁する。コネクターの接続を容易にするため、図１に示すように、ブロックの四隅の舗石３ａだけ最後に基布２に接着するようにしてもよい。
【００１９】
図１および図２に示すように、基布２の縁が舗石の外にせり出している（せり出し部を符号２ｂで示す）。集合ブロックを設置するときは、隣同士のブロックのせり出し部２ｂを重ね合わせるようにする。しかし、重ね合わせの必要がないよう、せり出し量を小さく、またはゼロにしてしまっても支障ない。
【００２０】
図３は電気的線図であり、同じ列の集合ブロック１は、基布表面の発熱体同士、並列に接続し、配電盤１５から導かれた給電線１６に接続する。配電盤にはコントローラ１７が組み込まれており、これは路面温度や気温を検知して融雪に必要な電力を計算し配電盤を制御する。
【図面の簡単な説明】
【００２１】
【図１】舗石集合ブロックの部分斜視図である。
【図２】舗石集合ブロックの施工状態断面図である。
【図３】舗石ブロックの発熱部電気系統図である。
【符号の説明】
【００２２】
１    舗石集合ブロック
２    基布
３    舗石
５    電極
７    舗石間の隙間
１３  目地材
【図１】
2005336719.tif 000003
【図２】
2005336719.tif 000004
【図３】
2005336719.tif 000005